(57)【要約】【課題】安価な構造で、成形用金型内に配置される回転コアを予め定められた回転角度位置で停止させることを可能にする。【解決手段】回転コア停止角度補正装置１１は、回転コアと連動して回転軸線２１周りに回転する筒状体１３と、回転が防止され且つ筒状体１３の内孔１３ａに対して筒状体１３の回転軸線２１に沿って進退可能となるように構成された棒状の直動部材１５とを備える。筒状体１３の内孔１３ａの周面及び直動部材１５の外周部の一方に、回転軸線２１周りに延びる螺旋状のカム面２３とカム面２３の終端部に位置するポケット部２７とを設けると共に、筒状体１３の内孔１３ａの周面及び直動部材１５の外周部の他方に、カム面２３に当接させるための係合子２５を設ける。カム面２３に沿って係合子２５を移動させ、係合子２５をポケット部２７に受容させることで筒状体１３の位置決めを行う。【選択図】図１
2014133355.tif 000002
【特許請求の範囲】
【請求項１】
ネジ部を成形するために金型内に配置される回転可能な回転コアを予め定められた回転角度位置で停止させる回転コア停止角度補正装置であって、
回転軸線方向に延びる内孔が形成されており、前記回転コアと連動して回転軸線周りに回転する筒状体と、
前記筒状体の前記内孔内に挿入可能であり、回転が防止され且つ前記筒状体の前記内孔に対して前記筒状体の回転軸線に沿って進退可能となるように構成された棒状の直動部材と、
を備え、前記筒状体の内孔の周面及び前記直動部材の外周部の一方に、前記回転軸線周りに延びる螺旋状のカム面と前記カム面の終端部に位置するポケット部とを設けると共に、前記筒状体の内孔の周面及び前記直動部材の外周部の他方に、前記カム面に当接可能となるように係合子を設け、前記係合子を前記カム面に係合させた状態で前記回転軸線に沿って前記直動部材を前記筒状体の内孔内に押し込むことにより、前記係合子が前記カム面に沿って移動して前記筒状体が回転され、前記係合子が前記ポケット部に受容されたときに前記筒状体の回転が停止されるようにすると共に、前記筒状体の回転による前記カム面と前記係合子の接触が回避される退避位置まで前記直動部材を後退させることにより前記筒状体の自由な回転が許容されるようにしたことを特徴とする回転コア停止角度補正装置。
【請求項２】
前記筒状体は、前記回転コアと一体的に回転する歯車と咬合する歯車である、請求項１に記載の回転コア停止角度補正装置。
【請求項３】
ネジ部を備えた成形品を成形するための成形用金型であって、
開閉可能であり、閉鎖されたときに内部にキャビティ部を形成する一対の金型と、
前記一対の金型を閉じたときに前記キャビティ部内に配置される、ネジ部を形成するための回転コアと、
請求項１又は請求項２に記載の回転コア停止角度補正装置と、
前記回転コア停止角度補正装置の筒状体を回転させることにより、前記回転コアを回転させる回転コア駆動装置と、
を備え、前記キャビティ部内に配置される前記回転コアが前記回転コア停止角度補正装置によって予め定められた角度位置で停止されるようになっていることを特徴とする成形用金型。
【請求項４】
前記回転コア停止角度補正装置の前記直動部材が、前記成形用金型が取り付けられる成形機のエジェクタ装置と係合可能となる位置に配置されている、請求項３に記載の成形用金型。
【請求項５】
前記直動部材が押し戻しピン部を有しており、前記一対の金型の閉動作時に前記押し戻しピン部が前記一対の金型の一部に当接することにより、前記直動部材を前記回転軸線に沿って移動させるようになっている、請求項３又は請求項４に記載の成形用金型。
【発明の詳細な説明】
【技術分野】
【０００１】
本発明は、ネジ部を成形するために金型内に配置される回転可能な回転コアを予め定められた回転角度位置で停止させる回転コア停止角度補正装置及びこれを備える成形用金型に関する。
【背景技術】
【０００２】
射出成形機により、ネジ式のキャップのようにネジ部を有する成形品を成形する場合、例えば特許文献１に記載されているように、可動側金型と固定側金型とからなる一対の金型内に形成されたキャビティ部内に、外周面に雄ネジ部が形成された回転コアを配置した状態で溶融した成形材料を高圧で射出して成形品を成形した後、回転コアを成形品から抜き取る螺脱離型処理を行う必要がある。このような螺脱離型処理における回転コアの回転は、連動機構により金型の開閉運動を回転に変換して回転コアの駆動原として利用することによって行われることもある（特許文献２を参照）が、モータの回転を直接的に又はギア等を介して間接的に回転コアに伝えることによって行われることが一般的である。
【０００３】
回転コアの螺脱離型処理においてモータの駆動力を利用する最大の利点は、モータの駆動及び停止動作が成形用金型の開閉動作から独立してなされることから、回転コアのネジ部のリードや巻き数によらずに離型処理が可能になることである。
【先行技術文献】
【特許文献】
【０００４】
【特許文献１】特開平１０−６３４７号公報
【特許文献２】特許第３３１２５２５号公報
【特許文献３】特開２００１−３５６８２０号公報
【発明の概要】
【発明が解決しようとする課題】
【０００５】
ところで、非対称な外形を有するネジ式キャップなどの成形品の場合、雌ネジ部のネジ溝の開始位置が不揃いであると、容器などの本体に対してキャップを締め付けたときにキャップの回転停止位置が所定の位置からずれ見栄えが悪くなるという問題が生じる。このような問題の発生を防ぐためには、回転コアを予め定められた回転角度位置で停止させた状態でキャビティ部内に配置する必要がある。しかしながら、上述したようにモータの駆動力を利用した回転コアの螺脱離型処理では、モータへの電力の供給と遮断の切り換えによってモータの動作制御を行うことが一般的であり、モータは電力遮断に伴う消勢により停止するので、モータの回転と連動する回転コアを所定の回転角度位置で停止させることは困難である。
【０００６】
また、例えば特許文献３に記載されているように、回転コアを予め定められた回転角度位置で停止させる技術として、モータや回転コアの回転を検知するためのセンサを設けて、モータや回転コアの回転角度位置情報を監視し回転動作のフィードバック処理を行うことにより、電気的に回転コアを予め定められた回転角度位置で停止させるようにしたモータの停止位置制御装置も提案されている。しかしながら、センサや制御装置等が高価であり、結果として、回転コアを予め定められた回転角度位置で停止させることができる射出成形用金型の製造コストを増大させる一因となってしまう。
【０００７】
よって、本発明の目的は、従来技術に存する問題を解決して、安価な構造で、成形用金型内に配置される回転コアを予め定められた回転角度位置で停止させることを可能にすることにある。
【課題を解決するための手段】
【０００８】
上記目的に鑑み、本発明は、第１の態様として、ネジ部を成形するために金型内に配置される回転可能な回転コアを予め定められた回転角度位置で停止させる回転コア停止角度補正装置であって、回転軸線方向に延びる内孔が形成されており、前記回転コアと連動して回転軸線周りに回転する筒状体と、前記筒状体の前記内孔内に挿入可能であり、回転が防止され且つ前記筒状体の前記内孔に対して前記筒状体の回転軸線に沿って進退可能となるように構成された棒状の直動部材とを備え、前記筒状体の内孔の周面及び前記直動部材の外周部の一方に、前記回転軸線周りに延びる螺旋状のカム面と前記カム面の終端部に位置するポケット部とを設けると共に、前記筒状体の内孔の周面及び前記直動部材の外周部の他方に、前記カム面に当接させるための係合子を設け、前記係合子を前記カム面に係合させた状態で前記回転軸線に沿って前記直動部材を前記筒状体の内孔内に押し込むことにより、前記係合子が前記カム面に沿って移動して前記筒状体が回転され、前記係合子が前記ポケット部に受容されたときに前記筒状体の回転が停止されるようにすると共に、前記筒状体の回転による前記カム面と前記係合子の接触が回避される退避位置まで前記直動部材を後退させることにより前記筒状体の自由な回転が許容されるようにした回転コア停止角度補正装置を提供する。
【０００９】
上記回転コア停止角度補正装置では、筒状体の内孔の周面及び直動部材の外周部の一方に設けられた係合子を、筒状体の内孔の周面及び直動部材の外周部の他方に設けられた螺旋状のカム面に当接させた後、直動部材を筒状体の内孔内に押し込むことにより、係合子とカム面との相互作用で直動部材の直進運動が筒状体の回転運動に変換されて、筒状体に連動する回転コアが回転させられる。直動部材を筒状体の内孔内にさらに押し込むことにより、係合子がカム面に沿って移動してポケット部に受容されると、直動部材の押し込みが停止され、これに伴って筒状体の回転運動も停止される。直動部材は回転不能であり、回転軸線周りの係合子の回転角度位置は不変であるので、このとき、筒状体は予め定められた回転角度位置で停止することになり、筒状体に連動する回転コアも予め定められた回転角度位置で停止する。また、退避位置では筒状体の回転によるカム面と係合子の接触が回避されるので、直動部材が退避位置に移動している状態では、筒状体は自由に回転することができる。したがって、直動部材を退避位置まで後退させれば、筒状体を介した回転コアの回転を妨げることもない。
【００１０】
上記回転コア停止角度補正装置において、前記筒状体は、前記回転コアと一体的に回転する歯車と咬合する歯車であることが好ましい。
【００１１】
また、本発明は、第２の態様として、ネジ部を備えた成形品を成形するための成形用金型であって、開閉可能であり、閉鎖されたときに内部にキャビティ部を形成する一対の金型と、前記一対の金型を閉じたときに前記キャビティ部内に配置される、ネジ部を形成するための回転コアと、上述した回転コア停止角度補正装置と、前記回転コア停止角度補正装置の筒状体を回転させることにより、前記回転コアを回転させる回転コア駆動装置と、を備え、前記キャビティ部内に配置される前記回転コアが前記回転コア停止角度補正装置によって予め定められた角度位置で停止されるようになっている成形用金型を提供する。
【００１２】
上記成形用金型では、前記回転コア停止角度補正装置の前記直動部材が、前記成形用金型が取り付けられる成形機のエジェクタ装置と係合可能となる位置に配置されていることが好ましい。
【００１３】
また、上記成形用金型では、前記直動部材が押し戻しピン部を有しており、前記一対の金型の閉動作時に前記押し戻しピン部が前記一対の金型の一部に当接することにより、前記直動部材を前記回転軸線に沿って移動させるようになっていることが好ましい。
【発明の効果】
【００１４】
本発明によれば、直動部材を退避位置まで後退させた状態では、筒状体を自由に回転させることができるので、筒状体を回転コア駆動装置により筒状体を介して回転コアを回転させることができる一方、直動部材を筒状体の内孔内に押し込むことにより、係合子とカム面との相互作用で筒状体を回転させることができ、さらに係合子をポケット部に受容させることにより筒状体及び回転コアを予め定められた回転角度位置に停止させることができる。このように機械的な位置規制によって回転コアの停止角度位置の位置決めを行うので、動作が瞬間的であり且つ確実である。したがって、高価なセンサや制御装置を用いることなく、回転コアを予め定められた回転角度位置に停止させる安価で確実な機構を実現することができる。
【図面の簡単な説明】
【００１５】
【図１】本発明による回転コア停止角度補正装置の第１の実施形態の全体構成を示す部分断面斜視図である。
【図２】本発明による回転コア停止角度補正装置の第１の実施形態の変形例を示す部分断面斜視図である。
【図３】本発明による回転コア停止角度補正装置の第１の実施形態の他の変形例を示す部分断面斜視図である。
【図４】本発明による回転コア停止角度補正装置の第２の実施形態の全体構成を示す部分断面斜視図である。
【図５】図１に示されている回転コア停止角度補正装置を備えた成形用金型における回転コア停止角度補正動作時の状態を示す、（Ａ）金型の断面図と、（Ｂ）筒状体及び直動部材の要部断面図である。
【図６】図１に示されている回転コア停止角度補正装置を備えた成形用金型において回転コア停止角度補正動作を完了した後に射出成型機のエジェクタ装置を後退させた状態を示す、（Ａ）金型の断面図と、（Ｂ）筒状体及び直動部材の要部断面図である。
【図７】図１に示されている回転コア停止角度補正装置を備えた成形用金型における型閉時の状態を示す、（Ａ）金型の断面図と、（Ｂ）筒状体及び直動部材の要部断面図である。
【図８】図１に示されている回転コア停止角度補正装置を備えた成形用金型における離型時の状態を示す（Ａ）金型の断面図と、（Ｂ）筒状体及び直動部材の要部断面図である。
【発明を実施するための形態】
【００１６】
以下、図面を参照して、本発明による回転コア停止角度補正装置及びこれを備えた成形用金型の実施の形態を説明する。
【００１７】
最初に、図１を参照して、回転コア停止角度補正装置１１の全体構成を説明する。回転コア停止角度補正装置１１は、成形用金型内に設けられるものであり、ネジ部を形成するために成形用金型内に配置される回転可能な回転コア（図５から図８の参照符号１１７ａを参照）を予め定められた回転角度位置で停止させるために用いられる。
【００１８】
回転コア停止角度補正装置１１は、筒状体１３と直動部材１５とを備える。
【００１９】
筒状体１３は、軸受１７，１９を介して成形用金型の可動側金型又は固定側金型に回転可能に支持され、歯車などの動力伝達機構を介して回転駆動される回転コアと連動して回転軸線２１周りに回転するように構成されている。筒状体１３は、その外周面に歯車を形成することにより、回転コアに動力を伝達する動力伝達機構に含まれる中間歯車の一つとして構成されることが好ましい。しかしながら、筒状体１３は回転コアと連動して回転するようになっていればよく、例えば、動力伝達機構を介して回転駆動される回転コアと筒状体とを棒状の接続部材で連結して一つの部材として形成することも可能である。なお、筒状体１３には、回転軸線２１方向に延びる内孔１３ａが形成されている。
【００２０】
直動部材１５は、棒形状であり、少なくとも一部が筒状体１３の内孔１３ａ内に挿入可能となるように筒状体１３の内孔１３ａの内径よりも小さい外径を有するように構成されている。また、直動部材１５は、回転軸線２１に沿って筒状体１３の内孔１３ａに対して進退可能となっている一方、筒状体１３の回転に伴って回転しないように回転軸線２１周りの回転が防止されるように成形用金型の可動側金型又は固定側金型によって支持されている。直動部材１５の回転軸線２１の方向の進退を許容し且つ回転軸線２１周りの回転を防止する機構として、適宜の機構を採用することが可能であるが、例えば、直動部材１５の外周面と直動部材１５を支持する部材の穴の内周面のうちの一方にキー溝を設けると共に他方にこれと係合する滑りキーを設ければよい。
【００２１】
回転コア停止角度補正装置１１では、さらに、筒状体１３の内孔１３ａの周面及び直動部材１５の外周部の一方に、回転軸線２１周りに延びる螺旋状のカム面２３が形成されていると共に、筒状体１３の内孔１３ａの周面及び直動部材１５の外周部の他方に、カム面２３に当接可能となるように突出した係合子２５が設けられている。また、カム面２３の終端部には、係合子２５を受容することができるポケット部２７が設けられている。周方向のポケット部２７の幅は周方向の係合子２５の幅と同一又は僅かに大きい程度であることが好ましい。なお、直動部材１５は、その外周部にカム面２３又は係合子２５が設けられた状態でも、少なくともカム面２３又は係合子２５が設けられた部分が筒状体１３の内孔１３ａ内に挿入可能となるような寸法で形成されることは言うまでもない。
【００２２】
カム面２３と係合子２５とがどのような相対角度位置に配置されていてもカム面２３と係合子２５とが係合できるように、カム面２３は、ポケット部２７が設けられている角度範囲を除き、回転軸線２１周りの全ての角度範囲を網羅するように設けられていることが好ましい。例えば、図１に示されている第１の実施形態のように、ポケット部２７を起点として回転軸線２１方向の同じ側へ向かって、回転軸線２１を中心として互いに反対回りに延びる二つのカム面２３を設けることが好ましい。
【００２３】
図１に示されている第１の実施形態では、直動部材１５の外周部にカム面２３を設けている一方、筒状体１３の内孔１３ａの周面に周面から突出する係合子２５を設けている。詳細には、直動部材１５の後側部分である大径部１５ａと直動部材１５の前側部分である小径部１５ｂとの段差部に螺旋状に延びるカム面２３を形成すると共に、カム面２３の終端部（図１では、カム面２３の下端部）に位置し段差部に設けた係合子２５を受容可能な大きさの凹部をポケット部２７としている。また、筒状体１３の内孔１３ａの周面に欠設された半球状凹部に略球形状の鋼材を保持することにより筒状体１３の内孔１３ａの周面から突出する係合子２５を形成している。略球形状の鋼材は、筒状体１３の内孔１３ａの凹部に保持された状態を保つことができれば、凹部内に固着されていてもよく、凹部内に回転自在に支持されていてもよい。なお、「前」とは、筒状体１３の内孔１３ａに直動部材１５を挿入する方向における前方側を表し、「後」とは、その反対側を表すものとし、以下の説明でも同様とする。
【００２４】
図１に示されている回転コア停止角度補正装置１１は、本発明の一実施形態に過ぎず、様々な実施形態が可能である。例えば、図１に示されている実施形態では、段差部にカム面２３及びポケット部２７を形成しているが、図２に示されている変形例のように、直動部材１５の外周面から外方に突出するリブによってカム面２３及びポケット部２７を形成してもよい。また、図１に示されている回転コア停止角度補正装置１１では、直動部材１５の外周部に二つのカム面が形成されているが、図３に示されている変形例のように、ポケット部２７が設けられている角度範囲を除き、回転軸線２１周りの全ての角度範囲を網羅するように延びている一つのカム面２３を直動部材１５の外周部に設けるようにしてもよい。さらに、図１に示されている回転コア停止角度補正装置１１では、係合子２５が球面状表面を有しているが、係合子２５の表面形状は、摺動、転動など適宜の形態でカム面２３に沿って移動することが可能であれば、適宜の形状とすることが可能である。
【００２５】
次に、図１に示されている第１の実施形態の回転コア停止角度補正装置１１の動作を説明する。
回転コア停止角度補正装置１１では、直動部材１５が回転軸線２１に沿って進退可能となっており、直動部材１５を筒状体１３の内孔１３ａ内に押し込むことにより、直動部材１５の外周部に設けられた螺旋状のカム面２３を筒状体１３の内孔１３ａの周面から突出する係合子２５に当接させることができる。直動部材１５は、回転軸線２１に沿って進退可能である一方で回転軸線２１周りには回転できないようになっている。したがって、直動部材１５のカム面２３と筒状体１３の係合子２５とを当接させた状態から、直動部材１５を筒状体１３の内孔１３ａ内に押し込むと、係合子２５がカム面から周方向成分を含む力を受けながらカム面２３に沿って移動し、これに伴って筒状体１３が回転軸線２１周りに回転させられる。係合子２５がカム面２３に沿って移動してカム面２３の終端部（図１における下端部）に到達すると、係合子２５がカム面２３の終端部に設けられたポケット部２７に受容、捕捉される。直動部材１５は回転軸線２１周りに回転することを防止されるように成形用金型に支持されているので、直動部材１５に設けられたポケット部２７の回転軸線２１周りの回転角度位置は成型用金型に対して不変である。したがって、ポケット部２７に係合子２５が受容されて位置規制がなされることにより、筒状体１３が予め定められた回転角度位置で停止させられ、これに伴って筒状体１３と連動する回転コアも予め定められた回転角度位置で停止させられる。特に、周方向のポケット部２７の幅は周方向の係合子２５の幅と同一又は僅かに大きい程度である場合、回転方向の遊びがなくなるので、回転コアを予め定められた回転角度位置に正確に位置決めすることが可能となる。
【００２６】
一方、筒状体１３の内孔１３ａから直動部材１５を後退させて、筒状体１３の回転によるカム面２３と係合子２５との接触が回避される退避位置まで移動させると、筒状体１３の自由な回転が許容されるようになり、動力伝達機構を介して回転駆動装置から回転コアへ回転駆動力を伝達することにより、回転コアを回転駆動することが可能となる。
【００２７】
また、第１の実施形態のように、小径部１５ｂをカム面２３よりも前側に設けることにより、係合子２５がポケット部２７に受容された状態のときに小径部１５ｂを筒状体１３から突出させるようにすることができ、小径部１５ｂを前方から押すことにより係合子２５とポケット２７との係合を解除させることが可能となる。したがって、小径部１５ｂを筒状体１３の内孔１３ａ内に押し込んだときに直動部材１５が退避位置まで後退させることができるように小径部１５ｂの長さを設定すれば、筒状体１３が回転自在となる退避位置に復帰させる復帰手段として小径部１５ｂを利用することができる。
【００２８】
さらに、第１の実施形態のように、二つのカム面２３で回転軸線２１周りの全角度範囲を覆えば、図３に示されている変形例のように一つのカム面２３を設ける場合と比較して各カム面２３の長さを短くすることができ、筒状体１３を予め定められた回転角度位置に位置決めするまでの時間を短縮することができる。
【００２９】
このように、回転コア停止角度補正装置１１によれば、カム面２３と係合子２５との係合により筒状体１３及びこれに連動する回転コアが回転させられ、ポケット部２７による係合子２５の回転方向の機械的な位置規制により筒状体１３及びこれに連動する回転コアが所定の回転角度位置に、瞬間的且つ確実に、位置決めされる。また、回転コア停止角度補正装置１１は、構成部品点数が少なく、安価な実施が可能である。よって、設備に高コストが要求される電気的制御により回転コア停止角度位置の補正を実現する場合と比較して、コストの観点で優位性を有する。
【００３０】
図４は、本発明による回転コア停止角度補正装置の第２の実施形態を示す。図４において、図１に示されている第１の実施形態と共通する構成要素には同一の参照番号が付されている。
図１に示されている第１の実施形態の回転コア停止角度補正装置１１では、直動部材１５の外周部にカム面２３を設けていると共に、筒状体１３の内孔１３ａの周面に周面から突出する係合子２５を設けているのに対し、図４に示されている第２の実施形態の回転コア停止角度補正装置１１´では、筒状体１３の内孔の周面にカム面２９を設けると共に、直動部材１５の外周部に外周面から突出する係合子３１を設けている。詳細には、筒状体１３の内孔の後側部分である大径穴部１３ｂと筒状体１３の内孔の前側部分である小径穴部１３ｃとの段差部に螺旋状に延びるカム面２９を形成すると共に、カム面２９の終端部（図４では、カム面の上端部）に位置し段差部に設けた係合子３１を受容可能な大きさの凹部をポケット部３３としている。また、直動部材１５の外周面に欠設された半球状凹部に略球形状の鋼材を保持することにより直動部材１５の外周面から突出する係合子３１を形成している。略球形状の鋼材は、直動部材１５の外周面の凹部に保持された状態を保つことができれば、凹部内に固着されていてもよく、凹部内に回転自在に支持されていてもよい。
【００３１】
次に、第２の実施形態の回転コア停止角度補正装置１１´の動作を説明する。直動部材１５を筒状体１３の内孔内に押し込むことにより、直動部材１５の外周面から外方へ突出する係合子３１を筒状体１３の内孔の内周面に設けられたカム面２９に当接させることができる。直動部材１５は、回転軸線２１に沿って進退可能である一方で回転軸線２１周りには回転できないようになっている。したがって、直動部材１５の係合子３１と筒状体１３のカム面２９とを当接させた状態から、直動部材１５を筒状体１３の内孔内に押し込むと、係合子３１がカム面２９に周方向成分を含む力を与えながらカム面２９に沿って移動し、これに伴って筒状体１３が回転軸線２１周りに回転させられる。係合子３１がカム面２９に沿って移動してカム面２９の終端部（図４における上端部）に到達すると、係合子３１がカム面２９の終端部に設けられたポケット部３３に受容、捕捉される。直動部材１５は回転軸線２１周りに回転することを防止されるように成形用金型に支持されているので、直動部材１５に設けられた係合子３１の回転軸線２１周りの回転角度位置は成形用金型に対して不変である。したがって、ポケット部３３が係合子３１を受容、捕捉して位置規制がなされることにより、筒状体１３が予め定められた回転角度位置で停止させられ、これに伴って筒状体１３と連動する回転コアも予め定められた回転角度位置で停止させられる。この結果、第２の実施形態の回転コア停止角度補正装置１１´でも、第１の実施形態の回転コア停止角度補正装置１１と同様の効果が得られる。
【実施例】
【００３２】
図５〜図８は、図１に示されている第１の実施形態の回転コア停止角度補正装置１１を備えた、ネジ部を成形するための成形用金型１０１を示している。
成形用金型１０１は、可動側金型１０３と固定側金型１０５とからなる一対の金型であり、可動側金型１０３が射出成型機（図示せず）の可動側ダイプレート１０７に取り付けられ、固定側金型１０５が射出成型機の固定側ダイプレート１０９に取り付けられる。可動側金型１０３は、可動側取付プレート１１１と、コアプレート１１３と、ストリッパプレート１１５と、回転コア部材１１７と、駆動用モータ１２０と、回転コア停止角度補正装置１１とを含み、固定側金型１０５は、固定側取付プレート１１９と、キャビティプレート１２１とを含む。
【００３３】
可動側金型１０３は、ボルト等により可動側金型１０３の可動側取付プレート１１１を射出成型機の可動側ダイプレート１０７に固定することにより、射出成型機の可動側ダイプレート１０７に取り付けることができる。コアプレート１１３は、可動側取付プレート１１１に固定されており、雄ネジ部が外周に形成された回転コア１１７ａを有する回転コア部材１１７を回転可能に支持している。また、コアプレート１１３の内部には、回転コア部材１１７と連動して回転する回転コア停止角度補正装置１１の筒状体１３も回転可能に支持されている。図示される成形用金型１０１では、回転コア部材１１７と一体的に回転する第１の歯車１２３と、筒状体１３と一体的に回転する第２の歯車１２５とが咬合しており、駆動用モータ１２０によって筒状体１３を回転させることによって、第１の歯車１２３及び第２の歯車１２５を介して回転コア部材１１７を回転駆動できるようになっている。すなわち、駆動用モータ１２０は、回転コア１１７ａを回転する回転コア駆動装置として機能する。ストリッパプレート１１５は、複数のガイドピン（図示せず）に沿ってコアプレート１１３に対して接近離反できるようコアプレート１１３に支持されており、バネ等（図示せず）によって固定側金型１０５に向けて付勢されている。また、ストリッパプレート１１５には、貫通して延びるスプルロックピン通過孔１１５ａが形成されており、ストリッパプレート１１５がコアプレート１１３に押し付けられると、コアプレート１１３に支持されたスプルロックピン１２７がスプルロックピン通過孔１１５ａに挿入され、その先端がストリッパプレート１１５から突出するようになっている。同様に、ストリッパプレート１１５には、貫通して延びる回転コア通過孔１１５ｂが形成されており、ストリッパプレート１１５がコアプレート１１３に押し付けられると、コアプレート１１３に支持された回転コア部材１１７が回転コア通過孔１１５ｂに挿入され、回転コア１１７ａがストリッパプレート１１５から突出するようになっている。
【００３４】
なお、回転コア停止角度補正装置１１の直動部材１５は、筒状体１３の内孔１３ａに挿入された状態で、回転軸線２１周りの回転が防止され且つ回転軸線２１の方向に進退可能となるようにコアプレート１１３に支持されている。また、直動部材１５は、可動側金型１０３（可動側取付プレート１１１、コアプレート１１３、ストリッパプレート１１５）に形成された貫通穴内を延びるように配置されており、直動部材１５の小径部１５ｂがストリッパプレート１１５から固定側金型１０５へ向けて突出可能となるように構成されている。
【００３５】
固定側金型１０５は、ボルト等により固定側金型１０５の固定側取付プレート１１９を射出成型機の固定側ダイプレート１０９に固定することにより、射出成型機の固定側ダイプレート１０９に取り付けることができる。キャビティプレート１２１、固定側取付プレート１１９に固定されており、キャビティプレート１２１には、可動側金型１０３と固定側金型１０５とを閉型したときにキャビティ部を形成する金型空隙１２９が形成されている。射出成型機から金型空隙１２９内に成形材料を供給するために、金型空隙１２９には、固定側取付プレート１１９及びキャビティプレート１２１を貫通して延びるスプル１３１が連通している。
【００３６】
以下では、図５〜図８を参照して、成形用金型１０１の動作を説明する。
ここでは、回転コア停止角度補正装置１１の直動部材１５を駆動するための駆動装置として、射出成形機のエジェクタ装置１３３を用いるものとし、エジェクタ装置１３３の進退軸線と回転コア停止角度補正装置１１の直動部材１５の進退軸線とが一致し、エジェクタ装置１３３と直動部材１５とが係合可能となるように、直動部材１５が配置されているものとする。
【００３７】
成形後の離型時には、成形品から回転コア１１７ａを除去するために、駆動用モータ１２０によって第１の歯車１２３及び第２の歯車１２５を介して回転コア部材１１７が回転させられ、不可測の回転角度位置で停止させられた状態となっている。したがって、成形品のネジ溝の開始位置を揃えるためには、回転コア１１７ａを予め定められた回転角度位置で停止させた状態でキャビティ部に挿入する必要がある。このために、図５に示されているように、駆動用モータ１２０の作動を停止させた状態で、射出成型機のエジェクタ装置１３３を伸出させて直動部材１５に係合させ、直動部材１５を筒状体１３の内孔１３ａ内に押し込むことにより、直動部材１５のカム面２３と筒状体１３の係合子２５を当接させてカム面２３上で係合子２５を移動させつつ筒状体１３を回転させる。さらに、カム面２３に沿って係合子２５をポケット部２７に受容させることにより、筒状体１３を予め定められた回転角度位置で停止させる。これにより、第１の歯車１２３及び第２の歯車１２５を介して筒状体１３と連動する回転コア部材１１７の回転コア１１７ａの停止角度位置が予め定められた回転角度位置に補正される。なお、このとき、直動部材１５の前側に位置する小径部１５ｂの先端はストリッパプレート１１５から固定側金型１０５へ向けて突出した状態となる。
【００３８】
次に、図６に示されているように、射出成型機のエジェクタ装置１３３が退縮され、エジェクタ装置１３３と直動部材１５との係合が解除される。
【００３９】
次に、射出成型機の可動側ダイプレート１０７を固定側ダイプレート１０９に接近させることにより、型閉させる。型閉されると、キャビティプレート１２１がストリッパプレート１１５に押し付けられることにより、ストリッパプレート１１５がガイドピン（図示せず）に沿ってコアプレート１１３側へ移動しコアプレート１１３に押し付けられる。このとき、コアプレート１１３に支持されるスプルロックピン１２７がストリッパプレート１１５のスプルロックピン通過孔１１５ａを通して固定側金型１０５に形成されたスプル１３１内に突出する。また、コアプレート１１３に支持される回転コア部材１１７の先端の回転コア１１７ａが回転コア通過孔１１５ｂを通してストリッパプレート１１５から突出し、可動側金型１０３と固定側金型１０５とにより形成されたキャビティ部（金型空隙１２９）内に配置される。さらに、ストリッパプレート１１５から突出する直動部材１５の小径部１５ｂがキャビティプレート１２１に当接して、回転軸線に沿って直動部材１５が押し戻され、筒状体１３に対して可動側ダイプレート１０７側に退避位置まで後退させられる。すなわち、直動部材１５の小径部１５ｂは、型閉時に直動部材１５を退避位置まで後退させる押し戻しピン部として機能する。
【００４０】
こうして型閉された状態で、スプル１３１を通してキャビティ部内に溶融した成形材料が高圧で供給された後、冷却されることにより成形品１３５が完成する。成形品１３５が完成すると、離型処理が開始され、図８に示されているように、射出成型機の可動側ダイプレート１０７を固定側ダイプレート１０９から引き離すことにより、型開させる。これにより、成形品１３５は回転コア１１７ａと螺合した状態で金型空隙１２９から取り出される。また、スプル１３１内に成形されたスプル成形品１３７もスプルロックピン１２７と共にスプル１３１から取り出される。
【００４１】
次に、駆動用モータ１２０によって第１の歯車１２３及び第２の歯車１２５を介して回転コア部材１１７を回転させ、回転コア部材１１７の回転コア１１７ａから、雌ネジ部を有した成形品１３５を取り外す。回転コア１１７ａから成形品１３５が取り外されるに伴って、ストリッパプレート１１５がコアプレート１１３から離れることにより、スプルロックピン１２７がストリッパプレート１２７のスプルロックピン通過孔１１５ａ内に引き込まれ、スプル成形品１３７がストリッパプレート１２７によってスプルロックピン１２７から引き離される。なお、直動部材１５は、型閉時に退避位置に後退させられており、筒状体１３の自由な回転が許容されるようになっているので、直動部材１５が筒状体１３を介した回転コア１１７ａの回転を妨げることもない。
【００４２】
以上、図５から図８に示されている実施形態を参照して、本発明の回転コア停止角度補正装置１１を備えた成形用金型１０１を説明したが、本発明による回転コア停止角度補正装置の成型用金型への適用は、図５から図８に示されている形態に限定されるものではない。例えば、図示されている実施形態では、可動側金型１０３に回転コア１１７ａ及び回転コア停止角度補正装置１１が設けられているが、これらを固定側金型１０５に設けることも可能である。また、図示されている実施形態では、直動部材１５を駆動するための直動部材駆動装置として、射出成型機のエジェクタ装置１３３を用いているが、別の駆動装置を用いてもよい。さらに、図示されている実施形態では、直動部材１５とエジェクタ装置１３３とは離接可能となっているが、直動部材１５とエジェクタ装置１３３とを接続して、エジェクタ装置１３３によって直動部材１５の後退を行うことを可能としてもよい。
【符号の説明】
【００４３】
１１    回転コア停止角度補正装置
１３    筒状体
１３ａ    内孔
１３ｂ    大径穴部
１３ｃ    小径穴部
１５    直動部材
２１    回転軸線
２３    カム面
２５    係合子
２７    ポケット部
２９    カム面
３１    係合子
３３    ポケット部
１０１    成形用金型
１０３    可動側金型
１０５    固定側金型
１１７    回転コア部材
１１７ａ    回転コア
１２０    駆動用モータ
１３３  エジェクタ装置
１３５    成形品
【図１】
2014133355.tif 000003
【図２】
2014133355.tif 000004
【図３】
2014133355.tif 000005
【図４】
2014133355.tif 000006
【図５】
2014133355.tif 000007
【図６】
2014133355.tif 000008
【図７】
2014133355.tif 000009
【図８】
2014133355.tif 000010